【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置であって、
前記第１および第２の画像データのそれぞれについて、前記第１及び前記第２の画像データを構成する画素の画素値が表す濃度範囲を各走査に分割することにより、各走査における第１の走査データおよび第２の走査データを設定する設定手段と、
前記第１および第２の走査データの濃度範囲に基づいて、各走査における第１および第２のハーフトーン画像データを生成する生成手段とを有し、
前記設定手段は、各走査間における前記第１の走査データが表す濃度範囲と、前記第２の走査データが表す濃度範囲とに共通する濃度範囲がある場合は、前記第１の走査データの方が先行する走査に対応させることを特徴とする画像処理装置。
【請求項２】
前記設定手段は、各走査間における前記第１の走査データの濃度範囲と前記第２の走査データの濃度範囲とを異ならせることにより、各走査のうち前記第１のハーフトーン画像データが示すドットパターンと、前記第２のハーフトーン画像データが示すドットパターンとに共通の画素位置にドットを有するドットパターンは、前記第１のハーフトーン画像データの方が先行する走査に対応するように制御することを特徴とする請求項１に記載の画像処理装置。
【請求項３】
前記設定手段は、前記第１の色成分のドットが前記第２の色成分のドットの下層に配置するように制御することを特徴とする請求項１または２に記載の画像処理装置。
【請求項４】
前記設定手段は、前記第１の色成分のドットが前記第２の色成分のドットの上層に配置される画素が少なく、分散するように制御することを特徴とする請求項１乃至３のいずれか１項に記載の画像処理装置。
【請求項５】
前記設定手段は、前記第１および第２の画像データのそれぞれについて、信号値と走査回数に従い、各走査における上位信号値と下位信号値を設定することにより前記第１および第２の走査データを設定し、
前記生成手段は、前記第１および第２の画像データのそれぞれについて、各走査における前記上位信号値および前記下位信号値に対して閾値マトリクスを用いたハーフトーン処理を行った結果の差を、各走査におけるハーフトーン画像データとして生成し、
前記設定手段は、走査ごとに、前記第２の画像データの前記下位信号値が、前記第１の画像データの前記上位信号値よりも大きくなるように設定する
ことを特徴とする請求項１乃至４のいずれか１項に記載の画像処理装置。
【請求項６】
前記設定手段は、前記第１および前記第２の画像データのそれぞれについて予め設定された走査ごとの分割率と、前記第１および第２の画像データの信号値とに応じて算出された補正量を、前記第２の画像データの各走査における前記上位信号値および前記下位信号値に加算することを特徴とする請求項５に記載の画像処理装置。
【請求項７】
前記設定手段は、前記第１および第２の画像データのそれぞれについて、走査ごとに分割された信号値レンジにおける上限の値を前記上位信号値とし、該信号値レンジにおける下限の値を前記下位信号値として設定した後、前記補正量を、前記第２の画像データの各走査における前記上位信号値および前記下位信号値に加算することを特徴とする請求項６に記載の画像処理装置。
【請求項８】
前記設定手段は、前記第１および第２の画像データの前記分割率に応じて、前記記録ヘッドにおける前記記録素子の位置ごとに設定された第１のパラメータを前記第１および第２の画像データに乗じることで、前記上位信号値および前記下位信号値を設定し、
さらに、前記分割率に応じて、前記記録ヘッドにおける前記記録素子の位置ごとに設定された第２のパラメータを用いて、前記補正量を算出することを特徴とする請求項６又は７に記載の画像処理装置。
【請求項９】
前記第１および第２のパラメータはそれぞれ、テーブルとして保持されることを特徴とする請求項８に記載の画像処理装置。
【請求項１０】
前記設定手段は、前記第１および第２の画像データの信号値の和が、各信号値がとり得る最大値未満である旨を示す第１の補正判定条件が真である場合に、前記第１の画像データの信号値を前記補正量として設定し、
前記第１の補正判定条件が偽であり、かつ、前記第１および第２の画像データの信号値に前記第２のパラメータを乗じた結果の差分である差分パラメータが、前記最大値と前記第２の画像データの信号値との差分以下である旨を示す第２の補正判定条件が真である場合に、前記最大値から前記第２の画像データの信号値を減じた値を前記補正量として設定し、
前記第１の補正判定条件が偽であり、かつ、前記第２の補正判定条件が偽である場合に、前記差分パラメータを前記補正量として設定する
ことを特徴とする請求項６乃至９のいずれか１項に記載の画像処理装置。
【請求項１１】
前記分割率は、前記第１および前記第２の画像データのそれぞれについて、前記記録ヘッドにおける前記記録素子ごとに設定され、該記録ヘッドにおける上端と下端との間において非対称に分布することを特徴とする請求項６乃至１０のいずれか１項に記載の画像処理装置。
【請求項１２】
前記設定手段は、前記第１の補正判定条件が偽であり、かつ、前記第２の補正判定条件が偽である場合に、前記第１の画像データについての前記記録素子ごとの前記分割率を第２の画像データに応じて再設定して、前記第１および第２の画像データの各走査における前記上位信号値および前記下位信号値を設定することを特徴とする請求項１１に記載の画像処理装置。
【請求項１３】
前記生成手段は、前記閾値マトリクスとして分散型マトリクスを用いることを特徴とする請求項５乃至１２のいずれか１項に記載の画像処理装置。
【請求項１４】
前記第１、第２の走査データは、濃度を表す上位データと下位データとによって表されることを特徴とする請求項１乃至１３のいずれか１項に記載の画像処理装置。
【請求項１５】
複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置であって、
前記第１および第２の画像データのそれぞれについて、前記第１及び前記第２の画像データを構成する画素の画素値が表す濃度範囲を各走査に分割することにより、各走査における第１の走査データおよび第２の走査データを設定する設定手段と、
ここで、各走査における前記第１の走査データと前記第２の走査データそれぞれは、割り当てられた濃度範囲を上位データと下位データとによって定義されたデータである；
前記第１および第２の走査データの濃度範囲に基づいて、各走査における第１および第２のハーフトーン画像データを生成する生成手段とを有し、
前記設定手段は、各色成分に対応する複数の濃度範囲をそれぞれ割り当てる走査を制御することにより、前記第１の色成分に対応する記録剤と前記第２の色成分に対応する記録剤との重なり順を制御することを特徴とする画像処理装置。
【請求項１６】
複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置であって、
前記第２の画像データに補正量を加算することにより補正する補正手段と、
前記第１の画像データおよび前記補正された第２の画像データを構成する画素の画素値が表す濃度範囲を各走査に分割し、低い濃度範囲から順に先行する走査割り当てることにより、走査ごとの第１の走査データおよび第２の走査データを設定する設定手段と、
前記第１および第２の走査データの濃度範囲に基づいて、各走査における前記第１および第２のハーフトーン画像データを生成する生成手段とを有し、
前記補正手段は、前記第２の画像データが表す濃度範囲が前記第１の画像データが表す濃度範囲と一部重複するように前記補正量を設定することを特徴とする画像処理装置。
【請求項１７】
複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置であって、
前記第２の画像データに補正量を加算することにより補正する補正手段と、
前記第１の画像データおよび前記補正された第２の画像データを構成する画素の画素値が表す濃度範囲を各走査に分割することにより、走査ごとの第１の走査データおよび第２の走査データを設定する設定手段と、
前記第１および第２の走査データの濃度範囲に基づいて、各走査における前記第１および第２のハーフトーン画像データを生成する生成手段とを有し、
前記補正手段は、記第２の画像データが表す濃度範囲が前記第１の画像データが表す濃度範囲と重複しない補正量と、前記第２の画像データが表す濃度範囲が前記第１の画像データが表す濃度範囲と一部重複する補正量とを切替えて用いることを特徴とする画像処理装置。
【請求項１８】
設定手段と生成手段を有し、複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置における画像処理方法であって、
前記設定手段が、前記第１および第２の画像データのそれぞれについて、前記第１および第２の画像データを構成する画素の画素値が表す濃度範囲を各走査に分割することにより、各走査における第１の走査データおよび第２の走査データを設定し、
前記生成手段が、前記第１および第２の走査データの濃度範囲に基づいて、各走査における第１および第２のハーフトーン画像データを生成し、
前記設定手段は、各走査間における前記第１の走査データが表す濃度範囲と、前記第２の走査データが表す濃度範囲とに共通する濃度範囲がある場合は、前記第１の走査データの方が先行する走査に対応させることを特徴とする画像処理方法。
【請求項１９】
設定手段と生成手段を有し、複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置における画像処理方法であって、
前記設定手段が、前記第１および第２の画像データのそれぞれについて、前記第１及び前記第２の画像データを構成する画素の画素値が表す濃度範囲を各走査に分割することにより、各走査における第１の走査データおよび第２の走査データを設定し、
ここで、各走査における前記第１の走査データと前記第２の走査データそれぞれは、割り当てられた濃度範囲を上位データと下位データとによって定義されたデータである；
前記生成手段が、前記第１および第２の走査データの濃度範囲に基づいて、各走査における第１および第２のハーフトーン画像データを生成し、
前記設定手段は、各色成分に対応する複数の濃度範囲をそれぞれ割り当てる走査を制御することにより、前記第１の色成分に対応する記録剤と前記第２の色成分に対応する記録剤との重なり順を制御することを特徴とする画像処理方法。
【請求項２０】
補正手段、設定手段及び生成手段を有し、複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置における画像処理方法であって、
前記補正手段が、前記第２の画像データに補正量を加算することにより補正し、
前記設定手段が、前記第１の画像データおよび前記補正された第２の画像データを構成する画素の画素値が表す濃度範囲を各走査に分割し、低い濃度範囲から順に先行する走査割り当てることにより、走査ごとの第１の走査データおよび第２の走査データを設定し、
前記生成手段が、前記第１および第２の走査データの濃度範囲に基づいて、各走査における第１および第２のハーフトーン画像データを生成し、
前記補正手段は、前記第２の画像データが表す濃度範囲が前記第１の画像データが表す濃度範囲と一部重複するように前記補正量を設定することを特徴とする画像処理方法。
【請求項２１】
補正手段、設定手段及び生成手段を有し、複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置における画像処理方法であって、
前記補正手段が、前記第２の画像データに補正量を加算することにより補正し、
前記設定手段が、前記第１の画像データおよび前記補正された第２の画像データを構成する画素の画素値が表す濃度範囲を各走査に分割することにより、走査ごとの第１の走査データおよび第２の走査データを設定し、
前記生成手段が、前記第１および第２の走査データの濃度範囲に基づいて、各走査における第１および第２のハーフトーン画像データを生成し、
前記補正手段は、記第２の画像データが表す濃度範囲が前記第１の画像データが表す濃度範囲と重複しない補正量と、前記第２の画像データが表す濃度範囲が前記第１の画像データが表す濃度範囲と一部重複する補正量とを切替えて用いることを特徴とする画像処理方法。
【請求項２２】
コンピュータ装置が読み取り実行することで、該コンピュータ装置を請求項１乃至１７のいずれか１項に記載の画像処理装置の各手段として機能させるためのプログラム。
。
【手続補正２】
【補正対象書類名】明細書
【補正対象項目名】０００６
【補正方法】変更
【補正の内容】
【０００６】
上記目的を達成するため、本発明の画像処理装置は、複数の記録素子を備えた記録ヘッドが記録媒体上の同一領域に対して、画像の第１の色成分に対応する第１の画像データによる記録を行い、該画像の第２の色成分に対応する第２の画像データによる記録を行うような走査を複数回行うことで画像を形成する画像形成装置での処理対象となる画像データを生成する画像処理装置であって、
前記第１および第２の画像データのそれぞれについて、前記第１及び前記第２の画像データを構成する画素の画素値が表す濃度範囲を各走査に分割することにより、各走査における第１の走査データおよび第２の走査データを設定する設定手段と、
前記第１および第２の走査データの濃度範囲に基づいて、各走査における第１および第２のハーフトーン画像データを生成する生成手段とを有し、
前記設定手段は、各走査間における前記第１の走査データが表す濃度範囲と、前記第２の走査データが表す濃度範囲とに共通する濃度範囲がある場合は、前記第１の走査データの方が先行する走査に対応させることを特徴とする。